(57)【要約】【課題】誰でもが簡単に情報を発信可能とし、情報内容の質の維持と可読性を両立し、有益なコミュニケーションが可能なシステムを提供する。【解決手段】情報配信サーバ１は、端末２からＲＳＳ情報発行要求に応じて、ＲＳＳ情報の発行を許可する情報を生成して端末２へ送信し、端末２では生成したＲＳＳ情報と付随する静止画、音声、動画等の情報を、情報配信サーバ１に送信する。情報配信サーバ１では、受信したＲＳＳ情報とそれに付随する静止画、音声、動画の情報を保存登録し、カテゴリ毎にＲＳＳファイルの生成更新を行う。ＲＳＳファイルを購読するためには、端末２に情報配信サーバ１の購読するカテゴリ分類に属するＲＳＳファイルのＵＲＩを登録し、ＲＳＳファイルが更新された場合、ＲＳＳファイルとそれに付随する静止画、音声、動画等を情報配信サーバ１から取得表示を行い、最新の記事を購読することが可能となっている。【選択図】図１
2007188540.tif 000002
【特許請求の範囲】
【請求項１】
サーバとネットワークで接続された端末間で、所定の情報を送受信する情報配信システムであって、
所定の書式で記載された情報を含むＲＳＳ情報をネットワークを介して発信受信をする端末と、
前記端末とネットワークで接続され、各端末からのＲＳＳ情報をカテゴリ毎に受信蓄積可能な情報配信サーバと、
前記端末とネットワークで接続され、各端末へＲＳＳ情報を発信可能な情報配信サーバと、
を備え、
前記端末は登録したカテゴリ毎にＲＳＳ情報を蓄積し、表示可能な表示手段と編集可能な編集手段と、
を備えることを特徴とする情報配信システム。
【請求項２】
請求項１記載の情報配信システムであって、
前記端末および情報配信サーバでＲＳＳ情報を記載する所定の書式がＲＳＳ（ＲＤＦ  Ｓｉｔｅ  Ｓｕｍｍａｒｙ、Ｒｉｃｈ  Ｓｉｔｅ  Ｓｕｍｍａｒｙ、Ｒｅａｌｌｙ  Ｓｉｍｐｌｅ  Ｓｙｎｄｉｃａｔｉｏｎの略）もしくはＡｔｏｍ（Ａｔｏｍ  Ｓｙｎｄｉｃａｔｉｏｎ  Ｆｏｒｍａｔ）フォーマットに準拠していることを特徴とする情報配信システム。
【請求項３】
請求項１から２のいずれかに記載の情報配信システムであって、
前記端末が、所定の間隔で自動的に情報配信サーバにアクセスしてＲＳＳ情報を取得することを特徴とする情報配信システム。
【請求項４】
請求項１から３のいずれかに記載の情報配信システムであって、
前記端末が、指定された任意のタイミングで情報配信サーバにアクセスしてＲＳＳ情報を取得することを特徴とする情報配信システム。
【請求項５】
請求項１から４のいずれかに記載の情報配信システムであって、
前記端末が、指定された任意のタイミングでＲＳＳ情報を作成編集して情報配信サーバにＲＳＳ情報を発信することを特徴とする情報配信システム。
【発明の詳細な説明】
【技術分野】
【０００１】本発明は、ＲＳＳによる情報配信をするための技術に関する。
【背景技術】
【０００２】インターネットでは従来から情報を発信しコミュニケーションを行う手段として、電子掲示板があるが、個人や法人への誹謗中傷を含めて情報内容の質の低下と、情報を取得する上での必要な情報の選択すなわち情報の可読性に問題があった。近年、インターネット上において、ニュースサイトでのニュースヘッドラインの配信、企業におけるマーケティング活動を伴ったブログサイト、個人ブログに類する情報の発信が増大し、ブログベースでの情報内容の質の維持と可読性を両立している。また、ブログサイトを複数保有する場合、個々のブログサイトにログインすることが無く更新が行えるブログ更新ツールの登場により情報発信者の利便性が向上している。【０００３】このようなブログベースでの情報発信は、ＰｉｎｇサーバもしくはＰｉｎｇサーバ機能を備えたＲＳＳポータルサイトへ自身のサイトを要約記録したＲＳＳ（ＲＤＦ  Ｓｉｔｅ  Ｓｕｍｍａｒｙ、Ｒｉｃｈ  Ｓｉｔｅ  Ｓｕｍｍａｒｙ、Ｒｅａｌｌｙ  Ｓｉｍｐｌｅ  Ｓｙｎｄｉｃａｔｉｏｎの略）もしくはＡｔｏｍ（Ａｔｏｍ  Ｓｙｎｄｉｃａｔｉｏｎ  Ｆｏｒｍａｔ）フォーマットを利用した通知により、情報発信者は情報のリアルタイム性と自分の情報をより多くの人に見てもらうことが可能となった。【０００４】一方、閲覧者側は端末上で、このＲＳＳ・Ａｔｏｍファイルを読み込むためのＲＳＳリーダと呼ばれるソフトウェアを利用して、発信情報の必要な情報と不必要な情報の選択と詳細な情報を閲覧することが可能になっている。また、企業内コミュニケーションツールとして社内ブログサイトが普及しつつあるが、個人ブログサイトでは悪戯のコメントやトラックバック等のスパムの問題により、個人ブログサイトを通じて多人数間でのコミュニケーションツールとしては不向きな問題があった。
【発明の開示】
【発明が解決しようとする課題】
【０００５】個人が情報を発信するには、ブログサービスプロパイダー等への登録ならびにさまざまな技術の取得が必要不可欠であり、個人がブログ等のサイトを作成し更新維持することに多大な労力が必要であった。このことから情報を発信したりする手段を持つ者と持たないものとの間の格差、すなわち情報格差（デジタルデバイド）が拡大していた。また、個人ブログサイトではコミュニケーションツールとしての利用はスパムの問題により破綻しており、従来のＲＳＳリーダは情報の取得は可能だが情報発信はできない状況であった。【０００６】本発明は、このような課題を解決するために、誰でもが簡単に情報を発信可能とし、情報内容の質の維持と可読性を両立し、有益なコミュニケーションが可能なシステムを提供することを目的とするものである。
【課題を解決するための手段】
【０００７】このような目的を達成するために、本発明にかかるＲＳＳ情報配信システムの端末では、作成編集した記事本文と記事タイトル記事カテゴリを付加しＲＳＳ情報を生成する。このＲＳＳ情報にはページの要約情報を含めることが一般的であるが、必ずしもそのような制限があるわけではなく、静止画、音声、動画、ＵＲＩ（Ｕｎｉｆｏｒｍ  Ｒｅｓｏｕｒｃｅ  Ｉｄｅｎｔｉｆｉｅｒ）等の情報を含めることが可能である。【０００８】本発明にかかるＲＳＳ情報配信システムの情報配信サーバは、ネットワークを介した端末からのＲＳＳ情報発行要求に応じて、ＲＳＳ情報の発行を許可する情報を生成して端末へ送信し、端末では、生成したＲＳＳ情報と付随する静止画、音声、動画等の情報を情報配信サーバに送信する。情報配信サーバでは、受信したＲＳＳ情報とそれに付随する静止画、音声、動画の情報を保存登録しカテゴリ毎にＲＳＳファイルの生成更新を行い、情報配信サーバに登録済みのＰｉｎｇサーバに対して更新通知を行う。【０００９】ＲＳＳファイルを購読するためには、端末に情報配信サーバの購読するカテゴリ分類に属するＲＳＳファイルのＵＲＩを登録し、定期的にＲＳＳファイルの更新チェックを行いＲＳＳファイルが更新された場合、ＲＳＳファイルとそれに付随する静止画、音声、動画等を情報配信サーバから取得表示を行い、最新の記事を購読することが可能となっている。また、本発明のＲＳＳ情報配信システムは、ＲＳＳ情報ならびにＲＳＳファイルを記載する所定の書式がＲＳＳ・Ａｔｏｍに準拠している。これにより端末は他のサイトで提供しているＲＳＳファイルも購読が可能であり、他のＲＳＳリーダを利用した情報配信サーバの記事も購読可能である。
【発明の効果】
【００１０】本発明によれば、ユーザが文章・静止画・音声・動画等の多様なメディアフォーマットを使用し、ワープロソフトの操作レベルにより個々にブログサイトを作成維持すること無く、情報の発信が可能である。また、ユーザアカウント登録制にすることにより、全体的な情報の質の維持と、ＲＳＳファイルであることから端末側での情報の可読性を両立し、情報配信サーバを介して多人数間での有益なコミュニケーションをすることが可能である。
【発明を実施するための最良の形態】
【００１１】次に、本発明の実施形態について図面を参照して説明する。まず、図１を参照して、本発明の実施の形態にかかるＲＳＳ情報配信システムについて説明する。図１は、本発明の実施の形態にかかるＲＳＳ情報配信システムの構成を示すブロック図である。このＲＳＳ情報配信システムは、ネットワーク３に設けられた情報配信サーバ１と、ネットワーク３を介して情報配信サーバ１にアクセスして所望カテゴリのＲＳＳファイルを取得し、コンテンツを表示する端末２と、端末２から出力されるＲＳＳ情報であるコンテンツを、ネットワーク３を介して情報配信サーバ１のＲＳＳ情報データベース２２に登録し所望カテゴリのＲＳＳファイルを出力する情報配信サーバ１から構成されている。情報配信サーバ１は、ＲＳＳ情報を発信するサーバとＲＳＳ情報を受信するサーバに分離することも可能である。【００１２】図２は端末２の機能構成を示すブロック図である。ＲＳＳ処理共通部２３の５においてユーザアカウントの認証を情報配信サーバ１と行い、６において端末内のＲＳＳ情報を任意のカテゴリ毎に分類を行い、７において情報配信サーバ１から取得したＲＳＳ情報もしくは発信するＲＳＳ情報の表示と、ＨＴＭＬファイルの表示を行う。【００１３】ＲＳＳ出力部２４の８において発信するＲＳＳ情報の作成編集を行い、９において発信するＲＳＳ情報のカテゴリ編集を行い、１０において記事に含まれる静止画、音声、動画等が存在する場合、ＲＳＳ情報に付随する情報として生成を行い、ＲＳＳ情報を生成する。５のユーザアカウント認証をおこなった後、情報配信サーバ１へＲＳＳ情報とＲＳＳ情報に付随する静止画、音声、動画を送信する。【００１４】ＲＳＳリーダ部２５の１１においてＲＳＳ情報を発信しているサイトのＵＲＩの登録と、情報配信サーバ１のカテゴリＵＲＩの登録を行い、１２において定期的にＲＳＳ情報の更新チェックを行い更新があった場合、１３にてＲＳＳファイルの取得表示を行う。【００１５】図３は端末２の発信情報を情報配信サーバ１において処理を行う概要を示すフローチャートである。端末２のユーザアカウント認証処理を行い（Ｓ１４）、認証チェックが正当な場合のみ端末２からのＲＳＳ情報送信を受信し、ＲＳＳ情報のフォーマットチェックを行いＲＳＳ情報に付随する静止画、音声、動画が存在する場合、情報配信サーバ１推奨のフォーマットへ変換を行う（Ｓ１５）。次にＲＳＳ情報の登録されているカテゴリチェックを行い、カテゴリ登録が無い場合は、ＲＳＳ情報タイトルならびに本文の全文検索を行い、もっとも出現頻度の高いキーワードと、情報配信サーバ１に登録されているカテゴリを比較しもっとも近いカテゴリとする（Ｓ１６）。【００１６】情報配信サーバ１のＲＳＳ情報データベース２２へＲＳＳ情報の登録を行う場合、ＲＳＳ情報に付随する静止画、音声、動画が存在する場合、情報配信サーバ１内でユニークなファイル名に変換し、情報配信サーバ１内の静止画、音声、動画毎のファイルフォーマットディレクトリに保存する。また、ＲＳＳ情報内の静止画、音声、動画ファイル名を変換したファイル名のＵＲＩに置換え、情報配信サーバ１のデータベースへＲＳＳ情報を登録する（Ｓ１７）。【００１７】ＲＳＳ情報データベース２２に登録されたＲＳＳ情報を元に、情報配信サーバ１内でユニークなカテゴリに登録された最新のＲＳＳ情報から閾値の件数を超えた直近過去のＲＳＳ情報は、直近ＲＳＳ過去ファイルｎ（Ｆ２１）として閾値の件数毎に出力し、最新のＲＳＳ情報から閾値までの最新ＲＳＳファイル（Ｆ２０）として生成し、直近ＲＳＳ過去ファイルｎ（Ｆ２１）が存在する場合は、過去ＲＳＳ情報ファイル名へのリンク情報ＵＲＩを埋め込み更新する（Ｓ１８）。本機能は、ＲＳＳ情報件数の増加による、ＲＳＳファイルのダウンロード遅延を防ぐことが可能となっている。【００１８】ＲＳＳファイルを更新した場合、情報配信サーバ１に登録済みのＰｉｎｇサーバサービスを行っているＰｉｎｇサーバ４に対して更新通知を行う（Ｓ１９）。
【図面の簡単な説明】
【００１９】
【図１】本発明に係わるＲＳＳ情報配信システムの構成図である。
【図２】端末２の機能構成を示すブロック図である。
【図３】情報配信サーバ１における受信情報処理の概要を示すフローチャートである。
【図４】ＲＳＳ情報データベース２２に記録された情報の構成を示す図である。
【符号の説明】
【００２０】１      情報配信サーバ
２      端末
３      ネットワーク
４      Ｐｉｎｇサーバ
２２    ＲＳＳ情報データベース
２３    ＲＳＳ処理共通部
２４    ＲＳＳ出力部
２５    ＲＳＳリーダ部
５      ユーザアカウント認証
６      カテゴリ追加登録削除
７      ＲＳＳ表示ブラウザ
８      ＲＳＳ情報編集エディタ
９      カテゴリ編集エディタ
１０    ＲＳＳ情報出力登録
１１    サイト登録カテゴリ登録
１２    ＲＳＳ更新チェック
１３    ＲＳＳファイル取得
【図１】
2007188540.tif 000003
【図２】
2007188540.tif 000004
【図３】
2007188540.tif 000005
【図４】
2007188540.tif 000006